【手続補正書】
【提出日】平成25年7月17日(2013.7.17)
【手続補正１】
【補正対象書類名】特許請求の範囲
【補正対象項目名】全文
【補正方法】変更
【補正の内容】
【特許請求の範囲】
【請求項１】
液体熱収集器を用いた熱駆動式自己循環デバイスであって、
加熱される液体を収容するための密閉容器であって、液面よりも上に上部空気／蒸気空間を有し液面よりも下に下部液体空間を有する密閉容器と、
前記容器に配置された加熱液体注入口と加熱液体排出口であって、前記加熱液体排出口が前記容器内の液面よりも下であり、前記加熱液体注入口が前記加熱液体排出口よりも低くない加熱液体注入口と加熱液体排出口と、
外気を前記上部空気／蒸気空間に連続的に連結するための通気チャンネルであって、前記通気チャンネルは液体蒸気凝縮還流構造を有する通気チャンネルと、
を含んで構成される熱駆動式自己循環デバイス。
【請求項２】
熱駆動式液体自己循環システムであって、
熱収集器注入口と熱収集器排出口とを有する熱収集器であって、前記熱収集器排出口が熱収集器注入口よりも低くない熱収集器と、
液体熱収集器と共に用いられる加熱される液体のための熱駆動式自己循環デバイスと、
を含み、
前記熱駆動式自己循環デバイスは、
加熱される液体を収容するための密閉容器であって、液面よりも上に上部空気／蒸気空間を有し液面よりも下に下部液体空間を有する密閉容器と、
前記容器に配置された加熱液体注入口と加熱液体排出口であって、前記加熱液体排出口が前記容器内の液面よりも下であり、前記加熱液体注入口が前記加熱液体排出口よりも低くない加熱液体注入口と加熱液体排出口と、
外気を前記上部空気／蒸気空間に連続的に連結するための通気チャンネルであって、前記通気チャンネルは液体蒸気凝縮還流構造を有する通気チャンネルと、
前記熱収集器の排出口と連結する一方の端部と、前記熱駆動式自己循環デバイスの加熱液体注入口と接続される反対側の端部と、を有する第１の連結導管であって、前記加熱液体注入口は前記熱収集器の排出口よりも低くない熱駆動式液体自己循環システム。
【請求項３】
請求項１に記載の熱駆動式自己循環デバイスであって、
一次流体の注入口と、
一次流体の排出口と、
前記加熱される液体である前記二次流体を前記密閉容器を通じて前記一次流体から隔離して流させるために、前記デバイスの内部に配置された装置であって、前記二次流体の注入口を前記二次流体の排出口に流体接続し、且つ熱交換器を含む装置と、
前記装置の内部で前記二次流体と流体接続された通気チャンネルと、
を含んで構成される熱駆動式自己循環デバイス。
【請求項４】
請求項１に記載の熱駆動式自己循環デバイスであって、前記密閉容器は、
加熱される液体の自立型ポンプ、
前記加熱される液体を収容する流体貯蔵タンクであって、前記通気チャンネルは前記タンクの壁に搭載され、前記加熱液体注入口は前記加熱液体排出口よりも高い流体貯蔵タンク、及び、
熱交換器付きの流体貯蔵タンクであって、前記加熱される液体は前記二次流体であり、前記加熱液体注入口は前記加熱液体排出口よりも高い流体貯蔵タンク、
からなる群から選択される熱駆動式自己循環デバイス。
【請求項５】
請求項２に記載の熱駆動式液体自己循環システムであって、
加熱液体自立型ポンプである前記自己循環デバイスの前記加熱液体排出口に一方の端部が接続され、前記熱収集器の注入口に反対側の端部が接続された第２の導管であって、前記熱収集器の位置とそれぞれ比較して高い部分、低い部分、および同じレベル部分の、連続する３つの部分を含む第２の導管を更に含む熱駆動式液体自己循環システム。
【請求項６】
請求項２に記載の熱駆動式液体自己循環システムであって、
前記加熱液体排出口に接続された一方の端部と、前記熱収集器注入口に接続された他方の端部と、を有する第２の導管と、
低温液注入口及び高温液排出口と、
を含んで構成される熱駆動式液体自己循環システム。
【請求項７】
請求項２に記載の熱駆動式液体自己循環システムであって、
前記加熱液体排出口と連結された一方の端部と、前記熱収集器の注入口と連結された反対側の端部と、を有する第２の導管を更に備え、
前記密閉容器は流体貯蔵タンクであって、
前記気密容器の一次流体注入口、
前記気密容器の一次流体排出口、
前記加熱される液体である二次流体を前記貯蔵タンクを通じて前記一次流体から隔離して流させるために、前記貯蔵タンクの内部に配置された装置であって、前記二次流体の注入口を前記二次流体の排出口に流体接続し、且つ熱交換器を含む装置と、
前記装置の内部で前記二次流体と流体接続された前記通気チャンネルと、
を更に含む熱駆動式液体自己循環システム。
【請求項８】
請求項２に記載の熱駆動式液体自己循環システムであって、
流体貯蔵タンクを更に備え、当該流体貯蔵タンクは、
一次流体のための貯蔵タンクであって、一次流体注入口、一次流体排出口、加熱液体注入口、及び加熱液体排出口を有する貯蔵タンクと、
二次流体である前記加熱される液体を前記貯蔵タンクを通じて前記一次流体から隔離して流れさせるために前記貯蔵タンクの内部に配置された装置であって、前記加熱液体注入口を前記加熱液体排出口に流体接続し、熱交換器を含む装置であって、前記流体貯蔵タンクの前記加熱液体注入口は前記流体貯蔵タンクの前記加熱液体排出口よりも低くない装置と、
自立型ポンプである前記熱駆動自己循環デバイスの前記加熱液体排出口に連結された第１の端部と、前記流体貯蔵タンクの前記加熱液体注入口に連結された反対側の端部と、を有する第２の導管であって、前記自立型ポンプの前記加熱液体排出口は、前記流体貯蔵タンクの前記加熱液体注入口よりも低くない第２の導管と、
前記流体貯蔵タンクの前記加熱液体排出口に連結された第１の端部と、前記熱収集器の前記注入口に接続された反対側の端部とを有する第３の導管と、
を含む熱駆動式液体自己循環システム。
【請求項９】
請求項２に記載の熱駆動式液体自己循環システムであって、
熱交換器を更に含み、当該熱交換器は、
一次流体のための流体リザーバであって、一次流体注入口、一次流体排出口、加熱液体流入口及び加熱液体排出口を有する流体リザーバと、
二次液体である前記加熱される液体を前記リザーバを通じて前記一次流体から隔離して流れさせるために前記リザーバ内に配置された装置であって、前記加熱液体注入口を前記加熱液体排出口と流体接続し、前記熱交換器の前記加熱液体注入口は、前記熱交換器の前記加熱液体排出口よりも低くない装置と、
加熱液体自立式ポンプである前記熱駆動式自己循環デバイスの前記加熱液体排出口に連結された一方の端部と、前記熱交換器の前記加熱液体注入口に連結された反対側の端部と、を有する第２の導管であって、前記自立式ポンプの前記加熱液体排出口は、前記熱交換器の前記加熱液体注入口よりも低くない第２の導管と、
前記熱交換器の前記加熱液体排出口に連結された一方の端部と、前記熱収集器の前記注入口に連結された反対側の端部と、を有する第３の導管と、
を含んで構成される熱駆動式液体自己循環システム。
【請求項１０】
請求項１に記載のデバイス又は請求項２に記載のシステムであって、前記熱駆動式自己循環デバイスは、
前記容器は、
断熱された容器、
透明の容器、及び、
脱気された容器
からなる群から選択されるデバイス又はシステム。
【請求項１１】
請求項１に記載のデバイス又は請求項２に記載のシステムであって、熱駆動式自己循環デバイスの前記通気チャンネルは、
前記容器の前記壁に搭載された通気器具であって、前記液面よりも低い通気器具、及び、
前記容器の前記壁であって液面よりも下に搭載された通気器具、前記開口器具に搭載された第１の端部、及び前記容器の前記液面よりも上で内部空気／蒸気空間の内部へと上向きに延在する反対側の端部を有する通気チューブ、
からなる群から選択される器具を更に含むデバイス又はシステム。
【請求項１２】
請求項１に基づいた熱駆動式自己循環デバイスであって、
前記液体蒸気凝縮再生構造は、
通気器具、
前記通気チャンネルと連結されたチューブ、
前記容器の通気器具に搭載された一方の低位の端部と、取り外し可能なカップつきの反対側の上位の端部と、を有するチューブ、外気を前記容器の液面よりも上の前記内部空間と連結するための前記壁に設けられた前記チューブの穴、液体蒸気の凝縮及び凝縮液の還流のために前記通気チューブ内に配置された一組の金属蒸気凝縮小片、
前記気密容器の前記通気器具に搭載された第１の端部と、当該第１の端部及び液面よりも高い第２の端部と、を有する還流パイプ、
前記気密容器から脱出した加熱される液体及び蒸気を収容するための凝縮気密容器であって、液体蒸気を凝縮させるための内部器具、及び外気に開放された上部ポートを有する凝縮気密容器と、前記気密容器の内部へと上向きに延在し且つ前記凝縮気密容器の底部に搭載された上位の端部と、前記気密容器で前記通気器具と連結された反対側の端部と、を有する通気パイプ、及び、
前記気密容器からの加熱される液体の蒸気を収容するための凝縮気密容器、前記気密容器の内部へと上向きに延在する一方の端部及び前記気密容器の前記通気器具に連結された通気パイプの反対側の端部とを有する通気パイプと、前記凝縮気密容器の内部へと上向きに延在し且つ凝縮気密容器内であって前記凝縮気密容器の内部頂面よりも低い位置に配置された一方の端部と、脱出した蒸気を凝縮させ再生（ｒｅｃｌａｉｍｉｎｇ）のために凝縮液を一時的に貯蔵するために前記凝縮気密容器の外部に配置された反対側の端部と、を有する還流通気凝縮パイプ、
からなる群から選択される熱駆動式自己循環デバイス。
【請求項１３】
請求項２に記載の熱駆動式液体自己循環システムであって、
前記熱収集器は、
太陽熱収集器、又は
断熱された熱収集器
からなる群から選択される熱駆動式液体自己循環システム。
【請求項１４】
請求項１に記載のデバイス又は請求項２に記載のシステムであって、前記熱駆動式自己循環デバイスは、
液体の注入口、液体の排出口、圧力逃し弁、電気ヒーター、及びドレン
からなる群から選択された１以上のものを更に含むデバイス又はシステム。
【請求項１５】
請求項１に記載のデバイス又は請求項２に記載のシステムであって、前記熱駆動式自己循環デバイスは、
当該熱駆動式自己循環デバイスが圧力デバイスであるように、前記通気チャンネルが圧力逃し弁を含むデバイス又はシステム。